(57)【要約】【目的】電子ペーパーの表裏を気にせずにプリントする。【構成】光書込み型電子ペーパー１２に光書込みを行うプリンタ１０には、第１露光モジュール２８と第２露光モジュール３０が光書込み型電子ペーパー１２の両面に面して設けられている。このため、光書込み型電子ペーパー１２をプリンタ１０にセットする際、光書込み型電子ペーパー１２の表と裏を気にする必要がない。また、両面に光書込みを行える光書込み型電子ペーパー１２に対しては、両面同時にプリントできる。【選択図】  図２
2005010654.tif 000002
【特許請求の範囲】
【請求項１】
画像形成媒体の画像形成層に光パターンを照射して画像を形成する画像形成装置であって、
前記画像形成媒体の一方の面に面して設けられ、前記一方の面に光パターンを照射する第１照射手段と、
前記画像形成媒体の他方の面に面して設けられ、前記他方の面に光パターンを照射する第２照射手段と、
を有することを特徴とする画像形成装置。
【請求項２】
光パターンが照射される前記画像形成媒体の前記画像形成層が、
光パターンを照射され、電圧を印加されることによって潜像が形成される光導電層と、
前記光導電層と共に電圧を印加されることによって前記潜像を可視化する表示層と、が積層された層を備え、
前記光導電層、及び前記表示層に電圧を印加する電圧印加手段と、
前記第１照射手段、及び前記第２照射手段の少なくとも一方に光パターンを照射させると共に、前記電圧印加手段に、光パターンを照射される前記画像形成層へ電圧を印加させる制御手段と、
を有することを特徴とする請求項１に記載の画像形成装置。
【請求項３】
前記画像形成媒体が、前記画像形成層が設けられた面を検出させる第１被検出手段が設けられた媒体であり、
前記第１被検出手段を検出する第１検出手段を有し、
前記制御手段が、
前記第１照射手段、及び前記第２照射手段の少なくとも一方に、前記第１検出手段によって検出された面に設けられた前記画像形成層へ光パターンを照射させると共に、
前記電圧印加手段に、前記第１検出手段によって検出された面に設けられた前記画像形成層へ電圧を印加させることを特徴とする請求項２に記載の画像形成装置。
【請求項４】
前記画像形成媒体が、前記画像形成層に電圧を印加するための媒体側端子が設けられた媒体であり、
前記画像形成媒体が画像形成位置に位置する時、前記媒体側端子と接触できる位置に設けられ、前記画像形成層と前記電圧印加手段を電気的に接続させる複数の装置側端子を有することを特徴とする請求項２、又は３に記載の画像形成装置。
【請求項５】
前記画像形成媒体が、前記媒体側端子が接触する前記装置側端子を検出させる第２被検出手段が設けられた媒体であり、
前記第２被検出手段を検出する第２検出手段を有し、
前記制御手段が、前記電圧印加手段に、前記第２検出手段によって検出された前記装置側端子と媒体側端子を介して電気的に接続される前記画像形成層に電圧を印加させることを特徴とする請求項４に記載の画像形成装置。
【請求項６】
前記画像形成媒体が、前記表示層側から前記光導電層に光パターンを照射されて前記潜像が形成される媒体であり、
前記制御手段が、第１照射手段、及び前記第２照射手段の少なくとも一方に光パターンを反転させて照射させることを特徴とする請求項２乃至５の何れかに記載の画像形成装置。
【請求項７】
前記画像形成媒体が、前記表示層側から前記光導電層に光パターンを照射されて前記潜像が形成されることを識別させる識別手段が設けられた媒体であり、
前記識別手段を検出する第３検出手段を有し、
前記制御手段が、前記第３検出手段からの検出信号を受けて、第１照射手段、及び前記第２照射手段の少なくとも一方に光パターンを反転させて照射させることを特徴とする請求項６に記載の画像形成装置。
【請求項８】
画像形成装置に設けられた照射手段によって光パターンを照射され、画像を形成される画像形成層が両面に形成されたことを特徴とする画像形成媒体。
【請求項９】
前記画像形成層は、
前記画像形成装置に設けられた電圧印加手段から電圧を印加され前記照射手段から光パターンを照射されることによって潜像が形成される光導電層と、
前記光導電層の外側に積層され、前記光導電層と共に前記電圧印加手段から電圧を印加されることによって前記潜像を可視化する表示層と、
が設けられた層であることを特徴とする請求項８に記載の画像形成媒体。
【請求項１０】
前記電圧印加手段を前記光導電層、及び前記表示層に電気的に接続するために前記画像形成装置に設けられた装置側端子と接触できる位置に設けられ、両面の前記光導電層、及び前記表示層を前記電圧印加手段に電気的に接続する媒体側端子を有することを特徴とする請求項９に記載の画像形成媒体。
【請求項１１】
画像形成装置に設けられた照射手段によって光パターンを照射され、画像を形成される画像形成層が両面に形成された画像形成媒体であって、
前記画像形成装置に設けられた電圧印加手段に電気的に接続される一対の第１透明電極層と、
一対の前記第１透明電極層の間に設けられた遮光層と、
前記第１透明電極層の外側に積層され、前記電圧印加手段から電圧を印加され前記照射手段から光パターンを照射されることによって潜像が形成される一対の光導電層と、
前記光導電層の外側に積層され、前記光導電層と共に前記電圧印加手段から電圧を印加されることによって前記潜像を可視化する表示層と、
前記表示層の外側に積層され、前記電圧印加手段に電気的に接続される一対の第２透明電極層と、
を有することを特徴とする画像形成媒体。
【請求項１２】
前記第１透明電極層を前記遮光層の片面だけに積層し、前記遮光層の両面に積層された前記光導電層と前記表示層の共通電極としたことを特徴とする請求項１１に記載の画像形成媒体。
【発明の詳細な説明】
【０００１】
【発明の属する技術分野】
本発明は、画像形成媒体を光パターンを照射して画像形成媒体に画像を形成する画像形成装置、及び画像形成媒体に関する。
【０００２】
【従来の技術】
従来から普通紙やＯＨＰ等の記録媒体の両面に画像を形成できる画像形成装置が考案されている（例えば、特許文献１参照）。また、コレステリック液晶層、及び光導電層等が積層された光書込み型電子ペーパーに光書込みをする装置が考案されている（例えば、特許文献２参照）。
【０００３】
従来の光書込み型電子ペーパーは、紙と違って画像の書込みをできるのは片面だけとなっている。このため、光書込み型電子ペーパーを光書込み装置のペーパートレイに表と裏を逆向きにしてセットしてしまうと、画像を書き込めないという問題があった。
【０００４】
また、光書込み型電子ペーパーは、コレステリック液晶層、光導電層、及び透明電極等が樹脂のプレートによって挟まれたものであり、普通紙等と比較すると厚みがあり、硬度が高い。このため、光書込み型電子ペーパーを、従来の両面印刷装置の記録媒体を裏返すための曲率が小さい搬送路に通すことができない。従って、従来の両面印刷装置の機構では両面印刷が困難であるという問題があった。
【０００５】
また、従来の両面印刷装置では、紙は、一方の面に印刷された後、裏返すための搬送路に通され、その後、他方の面に印刷される。このため、両面印刷に時間がかかるという問題があった。
【０００６】
【特許文献１】
特開昭６２−０４７６５５号公報
【特許文献２】
特開２００１−３０１２３３号公報
【０００７】
【発明が解決しようとする課題】
本発明は上記事実を考慮してなされたものであり、画像形成媒体の表裏を気にせずに画像を形成すること、普通紙よりも厚みのある画像形成媒体の両面に画像を形成すること、及び両面印刷の高速化を目的とする。
【０００８】
【課題を解決するための手段】
請求項１に記載の画像形成装置は、画像形成媒体の画像形成層に光パターンを照射して画像を形成する画像形成装置であって、前記画像形成媒体の一方の面に面して設けられ、前記一方の面に光パターンを照射する第１照射手段と、前記画像形成媒体の他方の面に面して設けられ、前記他方の面に光パターンを照射する第２照射手段と、を有することを特徴とする。
【０００９】
請求項１に記載の画像形成装置では、第１照射手段が画像形成媒体の一方の面に面して設けられ、画像形成媒体の一方の面に光パターンを照射する。また、第２照射手段が画像形成媒体の他方の面に面して設けられ、画像形成媒体の他方の面に光パターンを照射する。
【００１０】
これによって、画像形成層が片面にしか形成されていない画像形成媒体を表と裏を逆向きにして画像形成装置にセットした場合でも、第１照射手段、又は第２照射手段によって画像形成層に必ず画像が形成される。
【００１１】
また、両面に画像形成層が形成されている画像形成媒体の両面に画像を形成する場合、画像形成媒体を裏返す必要がない。このため、画像形成媒体を裏返すための搬送路に通す必要がなく、画像形成媒体を折り曲げなくてもよいので、画像形成媒体は厚みや硬さの制限を受けない。さらに、画像形成層を裏返すための搬送時間を削減でき、両面印刷の高速度化が達成される。
【００１２】
請求項２に記載の画像形成装置は、請求項１に記載の画像形成装置であって、光パターンが照射される前記画像形成媒体の前記画像形成層が、光パターンを照射され、電圧を印加されることによって潜像が形成される光導電層と、前記光導電層と共に電圧を印加されることによって前記潜像を可視化する表示層と、が積層された層を備え、前記光導電層、及び前記表示層に電圧を印加する電圧印加手段と、前記第１照射手段、及び前記第２照射手段の少なくとも一方に光パターンを照射させると共に、前記電圧印加手段に、光パターンを照射される前記画像形成層へ電圧を印加させる制御手段と、を有することを特徴とする。
【００１３】
請求項２に記載の画像形成装置では、光パターンを照射され、電圧を印加されることによって潜像が形成される光導電層と、光導電層と共に電圧を印加されることによって光導電層に形成された潜像を可視化する表示層と、が積層された画像形成媒体に画像が形成される。
【００１４】
制御手段は、第１照射手段、及び第２照射手段の少なくとも一方に、画像形成媒体の一方の面、及び他方の面の少なくとも一面へ光パターンを照射させる。これと共に、電圧印加手段に、光パターンが照射される画像形成層に電圧を印加させる。これによって、光パターンに基づいて光導電層に形成された潜像が、表示層によって画像形成媒体体の一方の面、及び他方の面の少なくとも一方に可視化される。
【００１５】
従って、表示層と光導電層が片面にしか形成されていない画像形成媒体を画像形成装置に表と裏を逆向きにしてセットしても必ず画像形成媒体に画像が形成される。
【００１６】
また、表示層と光導電層が両面に形成された画像形成媒体に対しては、画像形成媒体を裏返すことなく両面に画像を形成できるので、両面印刷の高速度化が達成される。さらに、例えば、光書込み型電子ペーパーのように普通紙と比較して厚みがあり、硬い画像形成媒体を、折り曲げて旋回させる必要もない。
【００１７】
請求項３に記載の画像形成装置は、請求項２に記載の画像形成装置であって、前記画像形成媒体が、前記画像形成層が設けられた面を検出させる第１被検出手段が設けられた媒体であり、前記第１被検出手段を検出する第１検出手段を有し、前記制御手段が、前記第１照射手段、及び前記第２照射手段の少なくとも一方に、前記第１検出手段によって検出された面に設けられた前記画像形成層へ光パターンを照射させると共に、前記電圧印加手段に、前記第１検出手段によって検出された面に設けられた前記画像形成層へ電圧を印加させることを特徴とする。
【００１８】
請求項３に記載の画像形成装置では、画像形成媒体に画像形成層が設けられた面を検出させる第１被検出手段が設けられており、この第１被検出手段が第１検出手段によって検出される。これは、例えば、画像形成媒体の画像形成層が設けられた面に記された印を、画像形成媒体の一方に面して設けられたセンサと、他方の面に面して設けられたセンサの何れかによって検出する、というものである。なお、この印は端子であっても良い。
【００１９】
そして、制御手段は、第１照射手段、及び第２照射手段の少なくとも一方に、第１検出手段によって検出された面に設けられた画像形成層へ光パターンを照射させる。画像形成層が一方の面に形成されていれば第１照射手段に、他方の面に形成されていれば第２照射手段に、両面に形成されていれば第１照射手段、及び第２照射手段に、光パターンを照射させる。これによって、画像形成層が形成されていない面に対して光パターンを照射してしまうことがなく、電力の浪費を防止できる。
【００２０】
制御手段は、これと共に、電圧印加手段に、光パターンが照射される画像形成層へ電圧を印加させる。これによって、画像形成装置にセットされる画像形成媒体の表裏、及び種類に関わらず、画像形成層に画像が形成される。
【００２１】
請求項４に記載の画像形成装置は、請求項２、又は３に記載の画像形成装置であって、前記画像形成媒体が、前記画像形成層に電圧を印加するための媒体側端子が設けられた媒体であり、前記画像形成媒体が画像形成位置に位置する時、前記媒体側端子と接触できる位置に設けられ、前記画像形成層と前記電圧印加手段を電気的に接続させる複数の装置側端子を有することを特徴とする。
【００２２】
請求項４に記載の画像形成装置では、画像形成位置に位置する画像形成媒体の表裏、及び向きに関わらず、複数の装置側端子が媒体側端子に接触し、画像形成層と電圧印加手段を電気的に接続する。従って、光パターンが照射された画像形成層に確実に画像を形成できる。
【００２３】
請求項５に記載の画像形成媒体は、請求項４に記載の画像形成装置であって、前記画像形成媒体が、前記媒体側端子が接触する前記装置側端子を検出させる第２被検出手段が設けられた媒体であり、前記第２被検出手段を検出する第２検出手段を有し、前記制御手段が、前記電圧印加手段に、前記第２検出手段によって検出された前記装置側端子と媒体側端子を介して電気的に接続される前記画像形成層に電圧を印加させることを特徴とする。
【００２４】
請求項５に記載の画像形成装置では、画像形成媒体に媒体側端子が接触する装置側端子を検出させる第２被検出手段が設けられており、この第２被検出手段が第２検出手段によって検出される。これは、例えば、画像形成媒体の一方の面の端部に記された印を画像形成媒体の一方の面の両端部、及び他方の面の両端部に面して設けられた４個のセンサによって検出し、画像形成媒体の表裏、及び向きを検出する。これによって、画像形成媒体の表裏、向きに応じた媒体側端子の位置を検出し、検出された媒体側端子に対応する装置側端子を検出する、というものである。
【００２５】
そして、制御手段は、電圧印加手段に、第２検出手段によって検出された装置側端子と媒体側端子を介して電気的に接続される画像形成層に電圧を印加させる。これによって、例えば、電圧印加手段の画像形成層に接続されていない回路中のスイッチをオン／オフさせるようなことはなく、電力の浪費を防止できる。
【００２６】
請求項６に記載の画像形成媒体は、請求項２乃至５の何れかに記載の画像形成装置であって、前記画像形成媒体が、前記表示層側から前記光導電層に光パターンを照射されて前記潜像が形成される媒体であり、前記制御手段が、第１照射手段、及び前記第２照射手段の少なくとも一方に光パターンを反転させて照射させることを特徴とする。
【００２７】
請求項６に記載の画像形成装置では、画像形成媒体が、表示側から光導電層に光パターンを照射される媒体である。即ち、この画像形成媒体には、光パターンが反転された画像が形成される。
【００２８】
このため、制御手段が、第１遮光手段、及び第２遮光手段の少なくとも一方に光パターンを反転させて照射させる。これによって、画像形成媒体の表示層側から第１照射手段、又は第２照射手段によって画像形成媒体に光パターンを照射しても正しい向きの画像が得られる。
【００２９】
請求項７に記載の画像形成装置は、請求項６に記載の画像形成装置であって、前記画像形成媒体が、前記表示層側から前記光導電層に光パターンを照射されて前記潜像が形成されることを識別させる識別手段が設けられた媒体であり、前記識別手段を検出する第３検出手段を有し、前記制御手段が、前記第３検出手段からの検出信号を受けて、第１照射手段、及び前記第２照射手段の少なくとも一方に光パターンを反転させて照射させることを特徴とする。
【００３０】
請求項７に記載の画像形成装置では、画像形成媒体に、表示層側から光光導電層に光パターンを照射されて潜像が形成される画像形成媒体であることを識別させる識別手段が設けられており、この識別手段が第３検出手段によって検出される。これは、例えば、画像形成媒体に記された印を画像形成媒体に面して設けられたセンサによって検出する、というものである。
【００３１】
そして、制御手段は、第３検出手段からの検出信号を受けて、第１照射手段、及び第１照射手段の少なくとも一方に、光パターンを反転させて照射させる。これによって、画像形成媒体に画像が反転されて形成されることはない。
【００３２】
請求項８に記載の画像形成媒体は、画像形成装置に設けられた照射手段によって光パターンを照射され、画像が形成される画像形成層が両面に形成されたことを特徴とする。
【００３３】
請求項８に記載の画像形成媒体では、画像形成層が両面に形成されているので、画像形成装置にセットされる画像形成媒体の表裏に関わらず、照射手段によって画像形成層に光パターンを照射できる。また、画像形成媒体の両面に画像を形成できる。
【００３４】
請求項９に記載の画像形成媒体は、請求項８に記載の画像形成媒体であって、前記画像形成層は、前記画像形成装置に設けられた電圧印加手段から電圧を印加され前記照射手段から光パターンを照射されることによって潜像が形成される光導電層と、前記光導電層の外側に積層され、前記光導電層と共に前記電圧印加手段から電圧を印加されることによって前記潜像を可視化する表示層と、が設けられた層であることを特徴とする。
【００３５】
請求項９に記載の画像形成媒体では、両面に形成された画像形成層が、光導電層と、光導電層の外側に積層された表示層とから成る層である。光導電層が、画像形成装置に設けられた照射手段によって光パターンを照射され、光導電層と表示層が、画像形成装置に設けられた電圧印加手段によって電圧を印加されると、潜像が光導電層に形成される。そして、表示層が光導電層の外側に形成されているので、光導電層に形成された潜像が表示層によって可視化される。従って、画像形成媒体の両面に画像を形成できる。
【００３６】
請求項１０に記載の画像形成媒体は、請求項９に記載の画像形成媒体であって、前記電圧印加手段を前記光導電層、及び前記表示層に電気的に接続するために前記画像形成装置に設けられた装置側端子と接触できる位置に設けられ、両面の前記光導電層、及び前記表示層を前記電圧印加手段に電気的に接続する媒体側端子を有することを特徴とする。
【００３７】
請求項１０に記載の画像形成装置では、媒体側端子が画像形成装置に設けられた装置側端子に常に接触できる位置に設けられている。これによって、両面の光導電層、及び表示層が常に電圧印加手段に電気的に接続され、光パターンが照射された画像形成層に確実に画像を形成できる。
【００３８】
請求項１１に記載の画像形成装置は、画像形成装置に設けられた照射手段によって光パターンを照射され、画像を形成される画像形成層が両面に形成された画像形成媒体であって、前記画像形成装置に設けられた電圧印加手段に電気的に接続される一対の第１透明電極層と、一対の前記第１透明電極層の間に設けられた遮光層と、前記第１透明電極層の外側に積層され、前記電圧印加手段から電圧を印加され前記照射手段から光パターンを照射されることによって潜像が形成される一対の光導電層と、前記光導電層の外側に積層され、前記光導電層と共に前記電圧印加手段から電圧を印加されることによって前記潜像を可視化する表示層と、前記表示層の外側に積層され、前記電圧印加手段に電気的に接続される一対の第２透明電極層と、を有することを特徴とする。
【００３９】
請求項１１に記載の画像形成装置では、遮光層が一対の第１透明電極層の間に設けられ、一対の光導電層が第１透明電極層の外側に積層されている。そして、一対の表示層が光導電層の外側に積層され、一対の第２透明電極層が表示層の外側に積層されている。即ち、各面の光導電層、及び表示層にそれぞれ個別に電極が設けられているので、両面の光導電層、及び表示層に同時に電圧を印加できる。
【００４０】
また、遮光層が一対の第１透明電極層の間に設けられており、両面に形成された光導電層がそれぞれ反対面から遮光される。このため、両面の光導電層に同時に光パターンを照射し、両面の光導電層、及び表示層に同時に電圧を印加することによって、画像形成媒体の両面に同時に画像を形成でき、両面印刷の高速度化が達成される。
【００４１】
請求項１２に記載の画像形成装置は、請求項１１に記載の画像形成媒体であって、前記第１透明電極層を前記遮光層の片面だけに積層し、前記遮光層の両面に積層された前記光導電層と前記表示層の共通電極としたことを特徴とする。
【００４２】
請求項１２に記載の画像形成装置では、一対の第１透明電極層が、遮光の片面だけに積層され、遮光層の両面に積層された光導電層と表示層の共通電極とされている。このため、内側の透明電極を両面に個別に設ける場合と比して画像形成媒体を薄くできる。
【００４３】
【発明の実施の形態】
以下に図面を参照しながら第１実施形態について説明する。
【００４４】
図１に示すように、画像形成装置としてのプリンタ１０は、パソコン４４（図３参照）に接続され、パソコン４４から送信された画像データに基づいて、４種類の光書込み型電子ペーパー（以下、電子ペーパーという）１２、１３、１５、１７に画像の光書込みを行う。
【００４５】
電子ペーパー１２、１３は、画像形成層１２´、１３´（図８、図９参照）が片面のみに形成され、電子ペーパー１４、１５は、画像形成層１４´、１５´（図１０、図１１参照）が両面に形成されている。電子ペーパー１２と電子ペーパー１３との相違点、及び電子ペーパー１４と電子ペーパー１５との相違点については後述する。
【００４６】
プリンタ１０には、光書込みを行う前の電子ペーパー１２、１３、１５、１７（以下、代表して電子ペーパー１２のみ記載する）を収納するペーパートレイ１４が設けられている。また、電子ペーパー１２をペーパートレイ１４に挿入する際に開かれる挿入扉１６がプリンタ筐体１９に開閉可能に支持されている。なお、電子ペーパー１２は、耳部１２Ｆが搬送方向に延出するようにペーパートレイ１４にセットされるようになっている。
【００４７】
また、ペーパートレイ１４に収納された電子ペーパー１２の上面に面して給紙ローラ１８が設けられている。給紙ローラ１８は半円柱形状をしており、曲面には摩擦部材が取り付けられている。また、給紙ローラ１８は、円弧の中心点付近を軸心とする給紙シャフト２０によって回転可能に支持されている。
【００４８】
ここで、電子ペーパー１２の搬送方向下流側の端部は、図示しない付勢手段によって給紙ローラ１８に付勢されている。このため、給紙ローラ１８が回転すると、電子ペーパー１２は給紙ローラ１８の摩擦部材の摩擦力によって光書込み部２２へ給紙される。
【００４９】
光書込み部２２とペーパートレイ１４との間には、ペーパー検出センサー（以下、センサという）２３、２５、２７、２９とクリーニングローラ２４が設けられている。センサ２３、２５は、電子ペーパー１２の搬送経路の上側に設けられている。センサ２３は、搬送される電子ペーパー１２の搬送方向と直交する方向の一端部に面して設けられ、センサ２５は、他端部に面して設けられている。センサ２７、２９は、電子ペーパー１２の搬送経路の下側に設けられている。センサ２７はセンサ２３に面し、センサ２９はセンサ２５に面している。
【００５０】
センサ２３、２５、２７、２９は、投受光センサで、光書込み部２２へ搬送される電子ペーパー１２、１３、１５、１７に記されたペーパー判別線３９を検出することによって、電子ペーパーの種類、光書込み面の向き、及び電子ペーパーに設けられたスルーホール端子４０、４１、４２、４３（図４〜図７参照）の位置を検出する。
【００５１】
また、クリーニングローラ２４は、電子ペーパー１２を光書込み部２２へ搬送すると共に、電子ペーパー１２の表面に付いた塵を取り除く。
【００５２】
図２（Ａ）に示すように、光書込み部２２には、ペーパー押え２６が設けられている。このペーパー押え２６は、プリンタ筐体１９の上面に開閉可能に支持されており、電子ペーパー１２が光書込み部２２へ搬送される際には開かれている。
【００５３】
また、光書込み部２２には、電子ペーパー１２の下面に面して第１露光モジュール２８が設けられ、ペーパー押え２６には、電子ペーパー１２の上面に面する第２露光モジュール３０が設けられている。
【００５４】
第１露光モジュール２８には、第１ＬＣＤ２８Ａ、第１バックライト２８Ｂ、及び後述する電圧印加手段４６（図３参照）の端子３１、３３が設けられている。図３に示すように、端子３１は、電圧印加手段４６の第１スイッチ４６Ａに接続され、端子３３は、電圧印加手段４６の第２スイッチ４６Ｂに接続されている。
【００５５】
図２（Ａ）に示すように、第１ＬＣＤ２８Ａは、パソコン４４の出力ポートから送信された画像データに基づく画像を表示する。第１バックライト２８Ｂは、リフレクタ２８Ｃとリフレクタ２８Ｃの端部に設けられた冷陰極管２８Ｄとで構成され、第１ＬＣＤ２８Ａの背面に設けられている。
【００５６】
図４に示すように、端子３１と端子３３は、第１ＬＣＤ２８Ａを間に置いて対角位置に配置され、端子３１が上流側に設けられ、端子３３が下流側に設けられている。
【００５７】
また、電子ペーパー１２の搬送方向（図中矢印Ａ方向）と直交する方向の両端部には、端子３１、３３とそれぞれ接触するスルーホール端子４０、４１が設けられている。スルーホール端子４０、４１は隣合う隅部に設けられ、端子４０は一方の耳部１２Ｆの光書込み側の面に露出し、端子４１は他方の耳部１２Ｆの光書込み側の反対面に露出している。
【００５８】
図示するように、電子ペーパー１２が、スルーホール端子４０、４１が上流側に向けられた状態で光書込み部２２へ搬送された場合は、スルーホール端子４０、又はスルーホール端子４１が、電子ペーパー１２の表裏に関わらず端子３１に接触する。また、電子ペーパー１２が、図示する状態から１８０°反転され、スルーホール端子４０、４１が下流側に向けられた状態で光書込み部２２へ搬送された場合は、スルーホール端子４０、又はスルーホール端子４１が、電子ペーパー１２の表裏に関わらず端子３３に接触する。
【００５９】
即ち、電子ペーパー１２をどのようにセットしても必ず電子ペーパー１２と電圧印加手段４６を電気的に接続できる。なお、電子ペーパー１２は、図示する状態から９０°回転された状態ではペーパートレイ１４にセットできないようになっている。
【００６０】
また、電子ペーパー１２の一方の耳部１２Ｆには、１本のペーパー判別線３９が記されている。このペーパー判別線３９がセンサ２３、センサ２５、センサ２７、及びセンサ２９の何れかによって検出されてコントロールボード５０に送信されることによって、電子ペーパーの種類が電子ペーパー１２と判別される。
【００６１】
また、ペーパー判別線３９は光書込み面側に記されており、ペーパー判別線３９がセンサ２３、又はセンサ２７によって検出されると、光書込み面が第２露光モジュール３０を向いていると判別され、ペーパー判別線３９がセンサ２５、又はセンサ２９によって検出されると、光書込み面が第１露光モジュール２８を向いていることが検出される。
【００６２】
そして、ペーパー判別線３９がセンサ２５、又はセンサ２７によって判別されると、端子３１を介して電子ペーパー１２と電圧印加手段４６との電気的な接続が得られていると判別され、ペーパー判別線３９がセンサ２３、又はセンサ２９によって検出されると、端子３３を介して電子ペーパー１２と電圧印加手段との接続が得られていると判別される。
【００６３】
さらに、第１露光モジュール２８には、端子３３に並んでＲＦＩＤリーダライタ４７が設けられ、電子ペーパー１２の他方の耳部１２Ｆには、ＲＦＩＤリーダライタ４７にデジタル情報を書き込まれ、又は読取られるＩＤカード４８が取付けられている。
【００６４】
そして、図５に示すように、電子ペーパー１３の一方の耳部１３Ｆには、２本のペーパー判別線３９が搬送方向に並んで形成されている。この２本のペーパー判別線３９がセンサ２３、センサ２５、センサ２７、及びセンサ２９の何れかによって検出されることによって、電子ペーパーの種類が電子ペーパー１３であると判別される。
【００６５】
また、ペーパー判別線３９がセンサ２３、又はセンサ２７によって検出されると、電子ペーパー１３の光書き込み面が第２露光モジュール３０を向いていると判別され、ペーパー判別線３９がセンサ２５、又はセンサ２９によって検出されると、電子ペーパー１３の光り書き込み面が第１露光モジュール２８を向いていると判別される。
【００６６】
また、スルーホール端子４０は光書込み面の反対面に露出し、端子４１が光書込み面に露出している。このため、ペーパー判別線３９がセンサ２３、又はセンサ２９によって検出されると、スルーホール端子４０、又はスルーホール端子４１が端子３１に接触していると判定され、ペーパー判別線３９がセンサ２５、センサ２７によって検出されるとスルーホール端子４０、又はスルーホール端子４１が端子３３に接触していると判定される。
【００６７】
また、図６に示すように、電子ペーパー１５には、３本のペーパー判別線３９が、一方の耳部１５Ｆの両面に搬送方向に並んで形成されており、センサ２３とセンサ２５、又はセンサ２７とセンサ２９によって検出される。
【００６８】
また、図７に示すように、電子ペーパー１７には、４本のペーパー判別線３９が一方の耳部１７Ｆの両面に搬送方向に並んで形成されており、センサ２３とセンサ２５、又はセンサ２７とセンサ２９の何れかによって検出される。
【００６９】
即ち、センサ２３とセンサ２５、又はセンサ２７とセンサ２９によって検出されたペーパー判別線３９の本数が、３本であれば電子ペーパー１５と判別され、４本であれば電子ペーパー１７と判別される。ここで、ペーパー判別線３９が電子ペーパー１５、１７の両面に形成されているのは、電子ペーパー１５、１７の両面が光書込み面とされているからである。
【００７０】
また、図６に示すように、電子ペーパー１５の一方の面のスルーホール端子４０が露出した隅部の対角隅部にはスルーホール端子４２が露出し、他方の面のスルーホール端子４１が露出した隅部の対角隅部にはスルーホール端子４３が露出している。
【００７１】
スルーホール端子４０とスルーホール端子４１が電子ペーパー１５の一方の面の画像形成層１５´の電極に接続されており、スルーホール端子４２とスルーホール端子４３が電子ペーパー１５の他方の面の画像形成層１５´の電極に接続されている。
【００７２】
図示するように、電子ペーパー１５が光書込み部２２へ搬送される際にスルーホール端子４０、４１が上流側に向けられている場合は、電子ペーパー１５に表裏に関わらず、スルーホール端子４０、又はスルーホール端子４１が端子３１に接触し、スルーホール端子４２、又はスルーホール端子４３が端子３３に接触する。
【００７３】
また、電子ペーパー１５が、図示する状態から１８０°反転され、スルーホール端子４０、４１が下流側に向けられた状態で光書込み部２２へ搬送された場合は、電子ペーパー１５の表裏に関わらず、スルーホール端子４０、又はスルーホール端子４１が端子３３に接触し、スルーホール端子４２、又はスルーホール端子４３が端子３１に接触する。
【００７４】
即ち、電子ペーパー１５をペーパートレイ１４にどのようにセットしても必ず電子ペーパー１５の両面の画像形成層１５´と電圧印加手段４６を電気的に接続できる。
【００７５】
また、図７に示すように、電子ペーパー１７にもスルーホール端子４０、４１、４２、４３が、電子ペーパー１５と同じように配置されており、電子ペーパー１７をペーパートレイ１４にどのようにセットしても電子ペーパー１７の両面の画像形成層１７´と電圧印加手段４６を電気的に接続できる。
【００７６】
そして、電圧印加手段４６は、第１露光モジュール２８、及び第２露光モジュール３０に画像が表示された後に、電子ペーパー１２の画像形成層１２´の駆動に必要な電圧パルスを印加するようになっている。
【００７７】
なお、電圧パルスの作成は、ＡＣ電源からの電圧を基に変圧や波形の整形を行ってもよく、電池等のバッテリーから供給されるＤＣ電源を手動でＯＮ／ＯＦＦスイッチングしてもよい。また、ＤＣ電源からスイッチング回路を用いて必要なパルスを生成してもよい。そのようなパルス生成には、例えば、ＲＯＭのような波形記憶手段とＤＡ変換手段と制御手段とを有し、電圧印加時にＲＯＭから読み出した波形をＤＡ変換して供給する回路を用いることができる。また、パルス発生回路のような電気回路的な方式でパルスを発生させる手段等を用いることができる。更に、電圧印加手段４６と第１露光モジュール２８、第２露光モジュール３０の駆動状態を検出する電気的なトリガーに基づいて電子ペーパー１２への電圧印加を行っても良い。
【００７８】
また、第２露光モジュール３０には、第１露光手段２８と同様に、液晶第１ＬＣＤ３０Ａと第１バックライト３０Ｂが設けられており、第１バックライト３０Ｂは、リフレクタ３０Ｃと冷陰極管３０Ｄとで構成されている。
【００７９】
図２（Ｂ）に示すように、ペーパー押え２６を閉じられると、電子ペーパー１２は、第１露光モジュール２８と第２露光モジュール３０によって挟み込まれ、第１露光モジュール２８、第２露光モジュール３０によって電子ペーパー１２の両面から光書込みをできる状態になる。
【００８０】
そして、図２（Ｃ）に示すように、光書込み部２２の下流には、排出ローラ３６が設けられており、画像を書き込まれた電子ペーパー１２が、排出口３８から排出される。この時、ペーパー押え２６は開かれる。
【００８１】
ここで、電子ペーパー１２について説明する。
【００８２】
図８に示すように、第１露光モジュール２８、又は第２露光モジュール３０によって図中矢印Ａ方向に光を照射されて画像を書き込まれる電子ペーパー１２は、２枚の透明なフィルム１２Ａの間に画像形成層１２´が積層されたフレキシブルな画像形成媒体である。なお、矢印Ａ方向の光が入射する面をＡ面、Ａ面の裏面をＢ面と呼ぶ。
【００８３】
画像形成層１２´は、表示層としてのコレステリック液晶層１２Ｂと光導電層１２Ｃとで構成されている。２枚のフィルム１２Ａの内面には共に透明電極層（ＩＴＯ層）１２Ｄが蒸着やスパッタリング等によって形成されている。ＡＢ両面のＩＴＯ層１２Ｄの間には、Ａ面側から順に、光導電層１２Ｃ、遮光層（光吸収層）１２Ｅ、コレステリック液晶層１２Ｂが積層されている。
【００８４】
光導電層１２Ｃは、ベンズイミダールペリレン（ＢＺＰ）をＩＴＯ層１６Ｄに蒸着することによって形成された電荷発生層と、ビフェニルージアミン系材７．２％、ポリカーボネートビスフェノールＺ（ポリ（４、４´−シクロヘキシリデンジフェニレンカーボネート））１０．８％、モノクロロベンゼン８２％の溶液をさらにモノクロロベンゼンにより２倍に希釈し、スピンコートによって電荷発生層に塗布することによって形成された電荷輸送層と、この電荷輸送層に蒸着によって形成された上記電荷発生層と、で構成されている。
【００８５】
また、遮光層１２Ｅは、黒色樹脂ＢＫＲ−１０５（日本化薬社製）をスピンコート塗布することによって形成されている。
【００８６】
また、コレステリック液晶層１２Ｂは、遮光層１２ＥとＢ面側のＩＴＯ層１２Ｄとの間に空セルを形成し、この空セルに材料を注入し、注入された表示材料をＵＶ光の照射によってＵＶ重合させることによって形成されている。
【００８７】
表示材料は、正の誘電率異方性を有するネマチック液晶Ｅ１８６（メルク社製）を７２．３ｗｔ％、右旋性のカイラル剤ＣＢ１５（メルク社製）を１３．９ｗｔ％及び右旋性のカイラル剤ＣＥ２（メルク社製）を１３．９ｗｔ％を混合したものに、更にチオール系ＵＶ重合高分子前駆体ＮＯＡ６５（ノーランド社製）を１５ｗｔ％添加して調整している。上記混合物はグリーンの色光を選択反射するように液晶とカイラル剤の割合が選択されている。
【００８８】
また、電子ペーパー１２の１組の対辺には、樹脂がコ字状にコーティングされた耳部１２Ｆが形成されている。そして、この耳部１２ＦのＡ面には、２層のＩＴＯ層１２Ｄを端子３１、又は端子３３に導通させるためのスルーホール端子４０が延出し、耳部１２ＦのＢ面には、２層のＩＴＯ層１２Ｄを端子３１、又は端子３３に導通させるためのスルーホール端子４１が延出している。
【００８９】
スルーホール端子４０、又はスルーホール端子４１を介して両側のＩＴＯ層１２Ｄの間に電圧印加手段４６によって電圧が印加されると共に、第１露光モジュール２８、又は第２露光モジュール３０から発せられた光がＡ面側から照射されると、光導電層１２Ｃに第１露光モジュール２８、又は第２露光モジュール３０からの露光パターンに応じたインピーダンス変化が誘起され、潜像が形成される。そして、このインピーダンス変化によってコレステリック液晶層１２Ｂに選択的に電圧が印加されている状態となる。
【００９０】
この状態で、電子ペーパー１２への電圧の印加が解除され、第１露光モジュール２８、又は第２露光モジュール３０による光パターンの照射が終了すると、コレステリック液晶層１２Ｂは露光パターンに従って緑色を示す選択波長反射を示すプレーナ状態、及び光透過状態による背景色（ここでは黒色）を示すフォーカルコニック状態を取る。これによって、光導電層１２Ｃに形成された潜像がＢ面側に外光Ｌの反射画像として表示される。即ち、第１露光モジュール２８、又は第２露光モジュール３０に表示された画像と同じ画像が電子ペーパー１２に複写記録される。
【００９１】
画像が記録された電子ペーパー１２は、メモリ性を有し、無電源で表示画像を維持できる。また、電子ペーパー１２は、書換えが可能、即ち再利用が可能であるため、環境負荷が低いという利点がある。
【００９２】
なお、電子ペーパー１３、１５、１７のコレステリック液晶層、光導電層、遮光層は同様の材料、方法で形成されている。
【００９３】
次に、電子ペーパー１３について説明する。なお、電子ペーパー１２と同一の構成には同一の符号を付し、説明は省略する。
【００９４】
図９に示すように、図中矢印Ａ方向に第１露光モジュール２８、又は第２露光モジュール３０によって光を照射されて画像を書き込まれる電子ペーパー１３は、２枚の透明なフィルム１３Ａの間に画像形成層１３´が積層されたフレキシブルな画像形成媒体である。なお、電子ペーパー１２は表示面の裏面から光書き込みを行うが、電子ペーパー１３は表示面から光書込みを行う。
【００９５】
画像形成層１３´は、表示層としてのコレステリック液晶層１３Ｂや光導電層１３Ｃとで構成されている。Ａ面側のフィルム１３Ａの内面にはＩＴＯ層１３Ｄが蒸着やスパッタリング等によって形成されている。また、Ｂ面側のフィルム１３Ａの内側には遮光層１３Ｅが蒸着やスパッタリング等によって形成され、遮光層１３Ｅの内側にＩＴＯ層１３Ｄが蒸着やスパッタリング等によって形成されている
ＡＢ面両側のＩＴＯ層１３Ｄの間には、Ａ面側から順に、コレステリック液晶層１３Ｂ、光導電層１３Ｃが積層されている。また、電子ペーパー１３の１組の対辺には、樹脂がコ字状にコーティングされた耳部１３Ｆが形成されている。
【００９６】
そして、この耳部１３ＦのＢ面には、２層のＩＴＯ層１３Ｄを端子３１、又は端子３３に導通させるためのスルーホール端子４０が延出し、耳部１３ＦのＡ面には、ＩＴＯ層１２Ｄを端子３１、又は端子３３に導通させるためのスルーホール端子４１が延出している。
【００９７】
このスルーホール端子４０、又はスルーホール端子４１を介してＡＢ面両側のＩＴＯ層１３Ｄの間に電圧印加手段４６によって電圧が印加されると共に、第１露光モジュール２８、又は第２露光モジュール３０から発せられた光がＡ面側から照射されると、光導電層１３Ｃに第１露光モジュール２８、又は第２露光モジュール３０からの露光パターンに応じたインピーダンス変化が誘起され、潜像が形成される。そして、このインピーダンス変化によってコレステリック液晶層１３Ｂに選択的に電圧が印加されている状態となる。
【００９８】
この状態で、電子ペーパー１３への電圧の印加が解除され、第１露光モジュール２８、又は第２露光モジュール３０による露光が終了すると、コレステリック液晶層１３Ｂは露光パターンに従って緑色を示す選択波長反射を示すプレーナ状態、及び光透過状態による背景色（ここでは黒色）を示すフォーカルコニック状態を取る。これによって、光導電層１３Ｃに形成された潜像が外光Ｌの反射画像としてＡ面側に表示される。即ち、第１露光モジュール２８、又は第２露光モジュール３０に表示された画像と同じ画像が電子ペーパー１３に複写記録される。
【００９９】
なお、電子ペーパー１３、及び後述する電子ペーパー１５、１７は、光書込みをする面と表示面が同一なので、第１ＬＣＤ２８Ａ、又は第１ＬＣＤ３０Ａの画像が反転されて複写される。このため、第１ＬＣＤ２８Ａ、第１ＬＣＤ３０Ａには画像を反転して表示する必要があるが、この点については後述する。
【０１００】
次に、１５について説明する。なお、第１、第２実施例と同一の構成には同一の符号を付し、説明は省略する。
【０１０１】
図１０に示すように、電子ペーパー１５は、第１露光モジュール２８、及び第２露光モジュール３０によって図中矢印Ａ方向、及び矢印Ｂ方向に光を照射されて両面に画像を書き込まれる。電子ペーパー１５は、２枚の透明なフィルム１５Ａの間に画像形成層１５´が、矢印Ａ方向の光が入射するＡ面、及び矢印Ｂ方向の光が入射するＢ面の両面に積層されたフレキシブルな画像形成媒体である。
【０１０２】
フィルム１５Ａの内面には共に第２透明電極層（第２ＩＴＯ層）１５Ｄが蒸着やスパッタリング等によって形成されている。ＡＢ面両側の第２ＩＴＯ層１５Ｄの間には、Ａ面側から順に、コレステリック液晶層１５Ｂ、光導電層１５Ｃ、第１透明電極層（第１ＩＴＯ層）１５Ｇ、遮光層１５Ｅ、第１ＩＴＯ層１５Ｇ、光導電層１５Ｃ、コレステリック液晶層１５Ｂが積層されている。また、電子ペーパー１５の１組の対辺には、樹脂がコ字状にコーティングされた耳部１５Ｆが形成されている。
【０１０３】
そして、この耳部１５ＦのＢ面には、Ｂ面側の第２ＩＴＯ層１５Ｄ、第１ＩＴＯ層１５Ｇを端子３１、又は端子３３に導通させるためのスルーホール端子４０と、Ａ面側の第２ＩＴＯ層１５Ｄ、第１ＩＴＯ層１５Ｇを端子３１、又は端子３３に導通させるためのスルーホール端子４２が延出している。
【０１０４】
また、耳部１５ＦのＡ面には、Ｂ面側の第２ＩＴＯ層１５Ｄ、第１ＩＴＯ層１５Ｇを端子３１、又は端子３３に導通させるためのスルーホール端子４１と、Ａ面側の第２ＩＴＯ層１５Ｄ、第１ＩＴＯ層１５Ｇを端子３１、又は端子３３に導通させるためのスルーホール端子４３が延出している。
【０１０５】
このため、Ｂ面側を第１露光モジュール２８に向けてスルーホール端子４０を端子３１に接触させ、スルーホール端子４２を端子３３に接触させている場合は、端子３１、スルーホール端子４０を介してＢ面側の第２ＩＴＯ層１５Ｄと第１ＩＴＯ層１５Ｇとの間に電圧が印加され、端子３３とスルーホール端子４２を介してＡ面側の第２ＩＴＯ層１５Ｄと第１ＩＴＯ層１５Ｇとの間に電圧が印加される。
【０１０６】
また、Ｂ面側を第１露光モジュール２８に向けてスルーホール端子４２を端子３１に接触させ、スルーホール端子４０を端子３３に接触させている場合は、端子３１、スルーホール端子４２を介してＡ面側の第２ＩＴＯ層１５Ｄと第１ＩＴＯ層１５Ｇとの間に電圧が印加され、端子３３、スルーホール端子４２を介してＢ面側の第２ＩＴＯ層１５Ｄと第１ＩＴＯ層１５Ｇとの間に電圧が印加される。
【０１０７】
この２状態での電圧印加と共に、第１露光モジュール２８によってＢ面に光パターンが照射され、第２露光モジュール３０によってＡ面に光パターンが照射されると、第１ＬＣＤ２８Ａに表示された画像がＢ面の画像形成層１５´に記録され、第２ＬＣＤ３０Ａに表示された画像がＡ面の画像形成層１５´に記録される。
【０１０８】
また、Ａ面側を第１露光モジュール２８に向けてスルーホール端子４１を端子３１に接触させ、スルーホール端子４３を端子３３に接触させている場合は、端子３１、スルーホール端子４１を介してＢ面側の第２ＩＴＯ層１５Ｄと第１ＩＴＯ層１５Ｇとの間に電圧が印加され、端子３３、スルーホール端子４３を介してＡ面側の第２ＩＴＯ層１５Ｄと第１ＩＴＯ層１５Ｇとの間に電圧が印加される。
【０１０９】
さらに、Ａ面側を第１露光モジュール２８に向けてスルーホール端子４３を端子３１に接触させ、スルーホール端子４１を端子３３に接触させている場合は、端子３１、スルーホール端子４３を介してＡ面側の第２ＩＴＯ層１５Ｄと第１ＩＴＯ層１５Ｇとの間に電圧が印加され、端子３３、スルーホール端子４１を介してＢ面側の第２ＩＴＯ層１５Ｄと第１ＩＴＯ層１５Ｇとの間に電圧が印加される。
【０１１０】
この２状態での電圧印加と共に、第１露光モジュール２８によってＡ面に光が照射され、第２露光モジュール３０によってＢ面に光が照射されると、第１ＬＣＤ２８Ａに表示された画像がＡ面の画像形成層１５´に記録され、第２ＬＣＤ３０Ａに表示された画像がＢ面の画像形成層１５´に記録される。
【０１１１】
ここで、２層の第１ＩＴＯ層１５Ｇの間に遮光層１５Ｅが設けられているので、矢印Ａ方向、及び矢印Ｂ方向の光がそれぞれＡ面、及びＢ面を透過してＢ面の光導電層１５Ｃ、及びＡ面の光導電層１５Ｃを照射することはない。このため、両面の画像形成層１５´に同時に光書込みをできる。
【０１１２】
次に、第４実施例の電子ペーパー１７について説明する。なお、第１乃至第３実施例と同一の構成には同一の符号を付している。
【０１１３】
図１１に示すように、電子ペーパー１７は、第１露光モジュール２８、及び第２露光モジュール３０によって図中矢印Ａ方向、及び矢印Ｂ方向に光を照射されてＡＢ両面に画像を書き込まれる。
【０１１４】
電子ペーパー１７の電子ペーパー１５との相違点は、Ａ面側の光導電層１７ＣとＢ面側の光導電層１７Ｃとの間に第１ＩＴＯ層１７Ｇが１層しか設けられていおらず、この１層の第１ＩＴＯ層１７ＧがＡＢ両面の共通電極とされている点である。
【０１１５】
このため、電子ペーパー１７は、ＡＢ両面の画像形成層１７´に同時に電圧を印加できないが、電子ペーパー１５と比較して薄くなり、また、形成工程を１工程省略できる。
【０１１６】
次に、プリンタ１０の動作方法について説明する。ここでは、プリンタ１０をプリンタ１０専用のドライバーソフトがインストールされたパソコン４４（図３参照）に接続してプリンタ１０を動作させる場合について説明する。
【０１１７】
プリンタ１０の電源が投入されると図１２に示すフローが開始され、ステップ１００に進む。ステップ１００では、ユーザーによってパソコン４４の画面上でプリントしたい情報が選択され、プリンタポート、又はネットワーク経由で出力信号がプリンタ１０へ送信される。
【０１１８】
ステップ１０１では、コントロールボード５０から、給紙ローラ１８、及びクリーニングローラ２４を駆動させる駆動モータ５１に駆動信号が出力され、電子ペーパーが光書込み部２２へ搬送される。この搬送の際、電子ペーパーに記されたペーパー判別線３９がセンサ２３、２５、２７、２９によって検出される。
【０１１９】
まず、ステップ１０２では、搬送される電子ペーパーが、両面プリント用の電子ペーパーか否か、即ち電子ペーパー１５、１７であるか電子ペーパー１２、１３であるかが判定される。これは、上述したようにペーパー判別線３９の本数によって判定される。肯定されると、ステップ１０３へ進み、否定されると図１３のステップ２００へ進む。
【０１２０】
ステップ１０３では、コントロールボード５０において、画像データが第１ＬＣＤ２８Ａ、第２ＬＣＤ３０Ａに適合するように変換され、ＬＣＤインターフェース（Ｉ／Ｆ）ボード５２に入力される。ここで、上述したように電子ペーパー１５、１７には第１ＬＣＤ２８Ａ、第２ＬＣＤ３０Ａの画像が反転して複写されるので、正しい向きのプリント画像を得るために反転画像のデータを形成する。
【０１２１】
そして、ステップ１０４では、第１ＬＣＤ２８Ａ、及び第２ＬＣＤ３０Ａのグラフィックメモリに画像データを書き込む。ここで、片面印刷の画像データしかコントロールボード５０へ送信されていない場合は、第１ＬＣＤ２８Ａのグラフィックメモリに画像データを書き込み、ステップ１０５へ進む。
【０１２２】
ステップ１０５では、電子ペーパー１５、又は電子ペーパー１７が光書込み部２２へ搬送された時点で第１ＬＣＤ２８Ａ、第２ＬＣＤ３０Ａに画像を表示させる。片面印刷の場合は、第１ＬＣＤ２８Ａのみに画像を表示させる。
【０１２３】
ステップ１０６では、電子ペーパーが電子ペーパー１５か電子ペーパー１７かが判定される。これは、上述したように、ペーパー判別線３９の本数が、３本であれば電子ペーパー１５となり、４本であれば電子ペーパー１７となる。そして、電子ペーパー１５の場合は、ステップ１０７へ進み、電子ペーパー１７の場合は、ステップ１０８へ進む。
【０１２４】
ステップ１０７では、電圧印加手段４６の第１スイッチ４６Ａと第２スイッチ４６Ｂが同時にオンになり、電子ペーパー１５のＡＢ両面の画像形成層１５´に電圧が印加される。これによって、第１ＬＣＤ２８Ａ、第２ＬＣＤ３０Ａの表示画像が同時に反転して複写され、パソコン４４の画面に表示された画像がプリントされる。そして、第１スイッチ４６Ａと第２スイッチ４６Ｂをオフにし、ステップ１０９へ進む。
【０１２５】
また、ステップ１０８では、まず、電圧印加手段４６の第１スイッチ４６Ａがオンになり、電子ペーパー１７の第１ＬＣＤ２８Ａに面した画像形成層１７´に電圧が印加される。これによって、第１ＬＣＤ２８Ａの表示画像が複写される。そして、第１スイッチ４６Ａをオフし、第２スイッチ４６Ｂをオンにし、電子ペーパー１７の第２ＬＣＤ３０Ａに面した画像形成層１７´に電圧を印加させる。これによって、第２ＬＣＤ３０Ａの表示画像が複写される。その後、第２スイッチ４６Ｂをオフにし、ステップ１０９へ進む。
【０１２６】
ステップ１１０では、第１露光モジュール２８、第２露光モジュール３０の駆動が停止される。
【０１２７】
ここで、図１３のフローを参照して片面印刷用の電子ペーパー１２、１３に画像をプリントする方法について説明する。
【０１２８】
ステップ２００では、電子ペーパーの種類が電子ペーパー１２か電子ペーパー１３かが判定される。ペーパー判別線３９が１本で電子ペーパー１２と判定されるとステップ２０１へ進み、ペーパー判別線３９が２本で電子ペーパー１３と判定されるとステップ２０２へ進む。
【０１２９】
ステップ２０１では、コントロールボード５０において、第１ＬＣＤ２８Ａ、又は第２ＬＣＤ３０Ａに適合するように画像データが変換され、ＬＣＤＩ／Ｆボード５２に入力される。ここで、電子ペーパー１２は、光書込み面と表示面が反対側なので、第１ＬＣＤ２８Ａ，第２ＬＣＤ３０Ａの表示画像は反転されずにそのまま複写される。このため、ここでの画像変換において、画像の反転は行わない。
【０１３０】
また、ステップ２０２での画像変換においては、電子ペーパー１３に第１ＬＣＤ２８Ａ、第２ＬＣＤ３０Ａの画像が反転して複写されるので、反転画像の形成を行う。そして、ステップ２０３へ進み、第１ＬＣＤ２８Ａ、第２ＬＣＤ３０Ａのグラフィックメモリに変換された画像データの書込みを行う。
【０１３１】
ステップ２０４では、電子ペーパー１２、又は電子ペーパー１３のＡ面（光書込み面）が第１ＬＣＤ２８Ａを向いているか第２ＬＣＤ３０Ａを向いているか判定される。これは上述したように、ペーパー判別線３９が電子ペーパー１２、１３の上側のセンサ２３、２７によって検出されるか、下側のセンサ２５、２９によって検出されるかで判定される。
【０１３２】
ここで、電子ペーパー１２、又は電子ペーパー１３のＡ面が第１ＬＣＤ２８Ａを向いていればステップ２０５へ進み、第１ＬＣＤ２８Ａに画像を表示させる。また、電子ペーパー１２、又は電子ペーパー１４のＡ面が第１ＬＣＤ３０Ａを向いていればステップ２０６へ進み、第２ＬＣＤ３０Ａに画像を表示させる。
【０１３３】
そして、ステップ２０７において、電子ペーパー１２、又は電子ペーパー１３の端子に接触しているのが第１スイッチ４６Ａに接続された端子３１か第２スイッチ４６Ｂに接続された第２スイッチ４６Ｂかが上述した方法で判定される。
【０１３４】
ここで、端子３１と判定されると、ステップ２０８へ進み、第１スイッチ４６Ａがオンになる。また、端子３３と判定されると、ステップ２０９へ進み、第２スイッチ４６Ｂがオンになる。これによって、電子ペーパー１２、又は電子ペーパー１３に第１ＬＣＤ２８Ａ、又は第２ＬＣＤ３０Ａの画像が複写される。そして、第１スイッチ４６Ａ、又は第２スイッチ４６Ｂがオフにし、図１２のステップ１０９へ進む。
【０１３５】
このように、片面にのみ画像形成層が形成されている電子ペーパーに画像を形成する場合には、画像の書込みを行わないＬＣＤは駆動させず、また、電圧の印加を行わない回路中のスイッチをオンオフさせないようにしたので、電力の浪費を防止できる。
【０１３６】
そして、ステップ１０９において、第１バックライトユニット２８Ｂ、第２バックライトユニット２８Ｂが消灯され、第１ＬＣＤ２８Ａ，第２ＬＣＤ２８Ｂの画像の表示が消される。
【０１３７】
なお、第１ＬＣＤ２８Ａ、第２ＬＣＤ２８Ｂの光源がストロボ発光のように瞬間発光をするものである場合は、電圧印加を発光のタイミングに同期させて画像を形成する。
【０１３８】
ステップ１１０では、電子ペーパーのＩＤカード４８にＲＦＩＤのデジタル情報を書き換えできるか否かが判定される。ここでは、ＲＦＩＤリーダライタ４７によってＩＤカード４８に記憶されたデジタル情報を読取ることができるか否か、即ち、電子ペーパーがＩＤカード４８がＲＦＩＤリーダライタ４７に面するように光書込み部２２へ搬送されたか否かが判定される。
【０１３９】
そして、肯定されるとステップ１１１へ進み、ＲＦＩＤリーダライタ４７によってＩＤカード４８にデジタル情報の書き換えが行われる。また、否定されるとステップ１１２へ進み、エラーメッセージをプリンタ１０、又はパソコン４４の画面に表示させ、ステップ１１４へ進む。
【０１４０】
ＲＦＩＤのデジタル情報の書き換えが行われた後は、ステップ１１２へ進み、ＲＦＩＤの書き換えが正常に行われた否かが判定される。ここで、否定されるとステップ１１２へ進み、エラーメッセージをプリンタ１０、又はパソコン４４の画面に表示させる。
【０１４１】
そして、ステップ１１４において、排出ローラ３６の駆動モータ４９が駆動され、画像を光書込みされ、またＲＦＩＤのデジタル情報を書き換えられた電子ペーパーが排出される。
【０１４２】
次に、第２実施形態のプリンタ６０について説明する。なお、第１実施形態と同一の構成には同一の符号を付し、説明は省略する。
【０１４３】
図１４、図１５に示すように、プリンタ６０には、スタイラスヘッドモジュール６２が設けられている。このスタイラスヘッドモジュール６２は、搬送されている電子ペーパー６４にライン状の光パターンを電子ペーパー６４の搬送方向（副走査方向）に連続して照射することによって画像を形成する。
【０１４４】
スタイラスヘッドモジュール６２は、電子ペーパー６４の上面に面して設けられた第１露光モジュール６６と、電子ペーパー６４の搬送経路を挟んで第１露光モジュール６６に面して設けられた第２露光モジュール６８とで構成されている。
【０１４５】
第１露光モジュール６６には、電子ペーパー６４の搬送経路に面して設けられた第１線状ＬＣＤ６６Ａと、第１線状ＬＣＤ６６Ａの背面に設けられた第１バックライト６６Ｂと、第１ＬＣＤ６６Ａの両端部に設けられ、電圧印加手段４６（図３参照）に接続された第１端子６６Ｃが設けられている。
【０１４６】
また、第２露光モジュール６８には、電子ペーパー６４の搬送経路に面して設けられた第２線状ＬＣＤ６８Ａと、第２線状ＬＣＤ６６Ａの背面に設けられた第２バックライト６８Ｂと、第２ＬＣＤ６８Ａの両端部に設けられ、電圧印加手段４６に接続された第２端子６８Ｃが設けられている。
【０１４７】
電子ペーパー６４には、搬送方向の両端部に樹脂でコーティングされた耳部６４Ｆが形成されている。また、各線が搬送方向と直交する方向に延出するストライプ状のＩＴＯ層６４Ｄがパターニングされている。そして、各線の両端部に端子７０、７１が設けられている。この端子７０、７１は、スタイラスヘッドモジュール６２の中を搬送されている間、第１端子６６Ｃ、第２端子６８Ｃに接触し、電子ペーパー６４を電圧印加手段４６に電気的に接続している。また、第１ＬＣＤ６６Ａ、第２ＬＣＤ６８Ａは、この端子７０に接触する毎に、ライン状の画像を電子ペーパー６４に書き込んで行く。これによって、電子ペーパー６４の両面の全体に画像が形成される。
【０１４８】
ここで、電子ペーパー６４について説明する。なお、全体的な構造は、上述した電子ペーパー１５と類似しているので、相違点についてのみ説明する。
【０１４９】
図１６に示すように、電子ペーパー６４の内側に設けられた２層のＩＴＯ層６４Ｄのうち、Ａ面側のＩＴＯ層６４Ｄの一端部からは端子７０が側面からＡ面へ、Ｂ面側のＩＴＯ層６４Ｄの一端部からは端子７０が側面からＢ面へ延出している。ここで、外側のＩＴＯ層６４Ｄと端子７０は非接触となっており、端子７０によって外側のＩＴＯ層６４Ｄと内側のＩＴＯ層６４Ｄとが電気的に接続されることはない。また、端子７１は、外側のＩＴＯ層６４Ｄの他端部が、露出されることによって形成されている。これによって、第１端子６６Ｃ、第２端子６６Ｃが端子７０、７１に接触できる。
【０１５０】
以上、第１実施形態、第２実施形態で説明したように、電子ペーパーの両面に第１露光モジュール、第２露光モジュールを設けたことによって、電子ペーパーに表と裏を気にすることなく、画像を形成できる。
【０１５１】
また、電子ペーパーのように厚みのある普通紙のように折り曲げることができない画像形成媒体を表と裏を逆転させるための搬送路に通すことなく両面印刷できる。これによって、電子ペーパーを裏返すための搬送路が不要となり、装置を小型化できる。さらに、電子ペーパーを裏返すための搬送時間が不要になるので、両面印刷の高速度化が達成される。
【０１５２】
なお、第１、第２実施形態では、照射手段を、透過型の液晶ＬＣＤを例に取って説明したが、これに限らず、反射型液晶ＬＣＤ、有機ＥＬディスプレイ等、他の照射手段も適用可能である。
【０１５３】
さらに、第１、第２実施形態では、記録媒体を電子ペーパーを例に取って説明したが、これに限らず、インスタントフィルム等、他の記録媒体も適用可能である。
【０１５４】
【発明の効果】
本発明は上記構成にしたので、画像形成媒体の表裏を気にせずに画像を形成すること、普通紙よりも厚みのある画像形成媒体の両面に画像を形成すること、及び両面印刷の高速化が可能となる。
【図面の簡単な説明】
【図１】第１実施形態のプリンタを示す斜視図である。
【図２】（Ａ）第１実施形態のプリンタを示す断面図である。
（Ｂ）第１実施形態のプリンタを示す断面図である。
（Ｃ）第１実施形態のプリンタを示す断面図である。
【図３】第１実施形態のプリンタの回路図である
【図４】第１実施形態のプリンタの第１露光モジュールと電子ペーパーを示す平面図である。
【図５】第１実施形態のプリンタの第１露光モジュールと電子ペーパーを示す平面図である。
【図６】第１実施形態のプリンタの第１露光モジュールと電子ペーパーを示す平面図である。
【図７】第１実施形態のプリンタの第１露光モジュールと電子ペーパーを示す平面図である。
【図８】図４の８−８断面図である。
【図９】図５の９−９断面図である。
【図１０】図６の１０−１０断面図である。
【図１１】図７の１１−１１断面図である。
【図１２】第１実施形態のプリンタの動作方法を示すフローチャートである。
【図１３】第１実施形態のプリンタの動作方向を示すフローチャートである。
【図１４】第２実施形態のプリンタのスタイラスヘッドモジュールを示す断面図である。
【図１５】第２実施形態のプリンタのスタイラスヘッドモジュールと電子ペーパーを示す平面図である。
【図１６】図１５の１６−１６断面図である。
【符号の説明】
１０    プリンタ（画像形成装置）
１２    電子ペーパー（画像形成媒体）
１２Ｂ  コレステリック液晶層（表示層）
１２Ｃ  光導電層
１３    電子ペーパー（画像形成媒体）
１３Ｂ  コレステリック液晶層（表示層）
１３Ｃ  光導電層
１５    電子ペーパー（画像形成媒体）
１５Ｂ  コレステリック液晶層（画像形成媒体）
１５Ｃ  光導電層
１５Ｄ  第２透明電極層
１５Ｅ  遮光層
１５Ｇ  第１透明電極層
１７    電子ペーパー（画像形成媒体）
１７Ｂ  コレステリック液晶層（表示層）
１７Ｃ  光導電層
１７Ｄ  第２透明電極層
１７Ｅ  遮光層
１７Ｇ  第１透明電極層
２３    センサ（第１検出手段、第２検出手段）
２５    センサ（第１検出手段、第２検出手段）
２７    センサ（第１検出手段、第２検出手段）
２８    第１露光モジュール（第１照射手段）
２９    センサ（第１検出手段、第２検出手段、第３検出手段）
３０    第２露光モジュール（第２照射手段）
３１    端子（装置側端子）
３３    端子（装置側端子）
３９    ペーパー判別線（第１被検出手段、第２被検出手段、識別手段）
４０    スルーホール端子（媒体側端子）
４１    スルーホール端子（媒体側端子）
４２    スルーホール端子（媒体側端子）
４３    スルーホール端子（媒体側端子）
４６    電圧印加手段
５０    コントロールボード（制御手段）
６４    電子ペーパー（記録媒体）
６４Ｂ  コレステリック液晶層（画像形成媒体）
６４Ｃ  光導電層
６４Ｄ  透明電極層（第１透明電極層、第２透明電極層）
６４Ｅ  遮光層
【図１】
2005010654.tif 000003
【図２】
2005010654.tif 000004
【図３】
2005010654.tif 000005
【図４】
2005010654.tif 000006
【図５】
2005010654.tif 000007
【図６】
2005010654.tif 000008
【図７】
2005010654.tif 000009
【図８】
2005010654.tif 000010
【図９】
2005010654.tif 000011
【図１０】
2005010654.tif 000012
【図１１】
2005010654.tif 000013
【図１２】
2005010654.tif 000014
【図１３】
2005010654.tif 000015
【図１４】
2005010654.tif 000016
【図１５】
2005010654.tif 000017
【図１６】
2005010654.tif 000018